(57)【要約】【課題】表示機構が異なる二種類の表示装置を備える情報表示システムにおいて、各表示装置夫々の表示特性に応じた表示情報の表示を行うことで情報表示システムとしての利便性を向上させることが可能な情報表示システム提供する。【解決手段】表示される情報が外光を利用せずに視認可能な複合機Ｆと、複合機Ｆに接続され且つ表示される情報が外光を利用して視認可能な表示装置Ｄと、を含む情報表示システムＳにおいて、表示装置Ｄにおける照度を検出し、当該検出した照度が照度閾値以上であると判断されたとき表示装置Ｄにおいて必要な情報を表示し、検出した照度が照度閾値未満であると判断されたとき複合機Ｆにおいて当該情報を表示する。【選択図】図１
2010237626.tif 000002
【特許請求の範囲】
【請求項１】
表示される情報が外光を利用せずに視認可能な第１表示装置と、当該第１表示装置を備えた情報処理装置に接続された第２表示装置であって、表示される情報が外光を利用して視認可能な第２表示装置と、を含む情報表示システムにおいて、
前記第１表示装置又は前記第２表示装置のいずれか一方で表示すべき表示情報を取得する取得手段と、
前記第２表示装置における照度を検出する照度検出手段と、
前記照度検出手段により検出された前記照度が予め設定された照度閾値以上であるか否かを判断する照度判断手段と、
前記照度判断手段により前記照度が前記照度閾値以上であると判断されたとき、前記取得手段により取得した表示情報を前記第２表示装置に出力し、前記照度判断手段により前記照度が前記照度閾値未満であると判断されたとき、前記取得した表示情報を前記第１表示装置に出力するように、前記第１情報表示装置及び前記第２情報表示装置を制御する出力制御を行う制御手段と、
を備えることを特徴とする情報表示システム。
【請求項２】
請求項１に記載の情報表示システムにおいて、
前記照度判断手段により前記照度が前記照度閾値以上であると判断されて前記表示情報を前記第２表示装置に出力するとき、当該表示情報を当該第２表示装置に対応して変換した後に当該第２表示装置に出力し、前記照度判断手段により前記照度が前記照度閾値未満であると判断されて前記表示情報を前記第１表示装置に出力するとき、当該表示情報を当該第１表示装置に対応して変換した後に当該第１表示装置に出力する変換手段を更に備えることを特徴とする情報表示システム。
【請求項３】
請求項１又は２に記載の情報表示システムにおいて、
前記取得手段により取得した表示情報の表示を行うか否かの指示を入力するために用いられる操作手段を更に備え、
前記制御手段は、前記操作手段において前記指示が入力されたときのみ、前記出力制御を行うことを特徴とする情報表示システム。
【請求項４】
請求項１から３のいずれか一項に記載の情報表示システムにおいて、
前記照度判断手段により前記照度が前記照度閾値以上であると判断された時間を検出する時間検出手段を更に備え、
前記制御手段は、前記照度が前記照度閾値以上であり且つ前記検出された時間が予め設定された時間閾値以上であるとき、前記取得手段により取得した表示情報を前記第２表示装置に出力する前記出力制御を行うことを特徴とする情報表示システム。
【請求項５】
請求項１から４のいずれか一項に記載の情報表示システムにおいて、
前記第２表示装置における振動の発生を検出する振動検出手段を更に備え、
前記制御手段は、前記照度判断手段により前記照度が前記照度閾値以上であると判断され且つ前記振動検出手段により前記振動が発生したことが検出されたとき、前記取得した表示情報を前記第２表示装置に出力する前記出力制御を行うことを特徴とする情報表示システム。
【請求項６】
請求項１から５のいずれか一項に記載の前記第１表示装置を制御する第１コンピュータ又は前記第２表示装置を制御する第２コンピュータのいずれか一方を、
前記取得手段、及び、
前記制御手段、
として少なくとも機能させることを特徴とする情報表示用プログラム。
【発明の詳細な説明】
【技術分野】
【０００１】
本発明は、情報表示システム及び情報表示用プログラムの技術分野に属し、より詳細には、表示のための構成が異なる二種類の表示装置を含む情報表示システム及び当該情報表示システムにおいて用いられる情報表示用プログラムの技術分野に属する。
【背景技術】
【０００２】
近年、電気泳動方式を用いた表示装置が開発されている（下記特許文献１及び特許文献２参照）。この電気泳動方式を用いた表示装置は、一旦書き換えられた表示を維持するために電力を必要としないと言う特長を備えていることから極めて省電力性に富んだ装置であり、例えば携帯型の情報処理装置における表示部として用いられている。また当該表示装置は、自らの表示装置を備えるパーソナルコンピュータ等の情報処理装置から出力されて来る情報を手元で表示するために用いられることもある。
【０００３】
ここで、当該表示装置は、上述した低消費電力性を活かすため、自らはいわゆるバックライト等の発光部を有することなく、外光を利用して情報を表示する構成とされている。
【先行技術文献】
【特許文献】
【０００４】
【特許文献１】特開２００５−２４２７９２公報（第１図等）
【特許文献２】特開２００５−３１６９４９公報（第２図、段落番号００２３等）
【発明の概要】
【発明が解決しようとする課題】
【０００５】
しかしながら、上記各特許文献に記載された構成では、上述した情報処理装置（自ら表示装置を備えるもの）と電気泳動方式の表示装置との組み合わせにおいて、当該情報処理装置内の表示装置と電気泳動方式の表示装置夫々における表示機構の違いに対応した表示先の使い分けについては、全く考慮されていない。また、上記電気泳動方式の表示装置では、外光を用いて情報表示を行うという特性上、周辺の照度（明るさ）に応じて視認性が左右されることになる。
【０００６】
そこで、本願は上記の点に鑑みて為されたもので、その目的の一例は、表示機構が異なる二種類の表示装置を備える情報表示システムにおいて、各表示装置夫々の表示特性に応じた表示情報の表示を行うことで情報表示システムとしての利便性を向上させることが可能な情報表示システム及び当該情報表示システムにおいて用いられる情報表示用プログラムを提供することにある。
【課題を解決するための手段】
【０００７】
上記の課題を解決するために、請求項１に記載の発明は、表示される情報が外光を利用せずに視認可能な表示部等の第１表示装置と、当該第１表示装置を備えた複合機等の情報処理装置に接続された第２表示装置であって、表示される情報が外光を利用して視認可能な表示装置等の第２表示装置と、を含む情報表示システムにおいて、前記第１表示装置又は前記第２表示装置のいずれか一方で表示すべき表示情報を取得する取得部等の取得手段と、前記第２表示装置における照度を検出する照度センサ等の照度検出手段と、前記照度検出手段により検出された前記照度が予め設定された照度閾値以上であるか否かを判断する照度判断部等の照度判断手段と、前記照度判断手段により前記照度が前記照度閾値以上であると判断されたとき、前記取得手段により取得した表示情報を前記第２表示装置に出力し、前記照度判断手段により前記照度が前記照度閾値未満であると判断されたとき、前記取得した表示情報を前記第１表示装置に出力するように、前記第１情報表示装置及び前記第２情報表示装置を制御する出力制御を行うＣＰＵ等の制御手段と、を備える。
【０００８】
よって、第２表示装置における照度に応じて表示情報を第１表示装置で表示するか第２表示装置で表示するか否かを制御するので、表示される情報が外光を利用して視認可能な第２表示装置における表示と当該情報が外光を利用せずに視認可能な第１表示装置における表示とを照度に応じて切り換えることで、各表示装置夫々の表示特性に応じた表示情報の表示を行うことができる。
【０００９】
また、照度不足により第２表示装置における表示情報の表示が不可能な場合でも第１表示装置を用いて当該表示情報を表示してその内容を確認することができる。
【００１０】
上記の課題を解決するために、請求項２に記載の発明は、請求項１に記載の情報表示システムにおいて、前記照度判断手段により前記照度が前記照度閾値以上であると判断されて前記表示情報を前記第２表示装置に出力するとき、当該表示情報を当該第２表示装置に対応して変換した後に当該第２表示装置に出力し、前記照度判断手段により前記照度が前記照度閾値未満であると判断されて前記表示情報を前記第１表示装置に出力するとき、当該表示情報を当該第１表示装置に対応して変換した後に当該第１表示装置に出力するＣＰＵ等の変換手段を更に備える。
【００１１】
よって、表示情報を第２表示装置に出力するとき当該表示情報を当該第２表示装置に対応して変換した後に当該第２表示装置に出力し、表示情報を第１表示装置に出力するとき当該表示情報を当該第１表示装置に対応して変換した後に出力するので、各表示装置に適合した表示情報を夫々出力することで、いずれの表示装置においても良好な表示を行うことができる。
【００１２】
上記の課題を解決するために、請求項３に記載の発明は、請求項１又は２に記載の情報表示システムにおいて、前記取得手段により取得した表示情報の表示を行うか否かの指示を入力するために用いられる操作部等の操作手段を更に備え、前記制御手段は、前記操作手段において前記指示が入力されたときのみ、前記出力制御を行うように構成される。
【００１３】
よって、表示情報の表示を行う旨の指示が入力されたときのみ出力制御を行うので、表示情報の表示自体が不要な場合にまで出力制御が実行されることを防止できる。
【００１４】
上記の課題を解決するために、請求項４に記載の発明は、請求項１から３のいずれか一項に記載の情報表示システムにおいて、前記照度判断手段により前記照度が前記照度閾値以上であると判断された時間を検出する時間検出手段を更に備え、前記制御手段は、前記照度が前記照度閾値以上であり且つ前記検出された時間が予め設定された時間閾値以上であるとき、前記取得手段により取得した表示情報を前記第２表示装置に出力する前記出力制御を行うように構成される。
【００１５】
よって、第２表示装置における照度が照度閾値以上であり且つその時間が時間閾値以上であるとき表示情報を第２表示装置において表示するので、当該照度が一時的に照度閾値を越えた後に再び当該照度閾値未満となった場合にまで、表示情報が第２表示装置において表示されることを防止できる。
【００１６】
上記の課題を解決するために、請求項５に記載の発明は、請求項１から４のいずれか一項に記載の情報表示システムにおいて、前記第２表示装置における振動の発生を検出する振動検出手段を更に備え、前記制御手段は、前記照度判断手段により前記照度が前記照度閾値以上であると判断され且つ前記振動検出手段により前記振動が発生したことが検出されたとき、前記取得した表示情報を前記第２表示装置に出力する前記出力制御を行うように構成される。
【００１７】
よって、第２表示装置における照度が照度閾値以上であり且つ第２表示装置が振動しているとき表示情報を第２表示装置において表示するので、第２表示装置における振動の発生を使用者における当該第２表示装置の把持であると見なすことで、使用者が当該第２表示装置を把持しているタイミングで表示情報を当該第２表示装置において表示することができる。
【００１８】
上記の課題を解決するために、請求項６に記載の発明は、請求項１から５のいずれか一項に記載の前記第１表示装置を制御する第１コンピュータ又は前記第２表示装置を制御する第２コンピュータのいずれか一方を、前記取得手段、及び、前記制御手段、として少なくとも機能させる。
【００１９】
よって、第２表示装置における照度に応じて表示情報を第１表示装置で表示するか第２表示装置で表示するかを制御するように当該いずれか一方のコンピュータが機能するので、外光を用いて情報を表示する第２表示装置における表示と外光を用いずに情報の表示が可能な第１表示装置における表示とを照度に応じて切り換えるように当該いずれか一方のコンピュータが機能することで、各表示装置夫々の表示特性に応じた表示情報の表示を行うことができる。
【００２０】
また、照度不足により第２表示装置における表示情報の表示が不可能な場合でも第１表示装置を用いて当該表示情報を表示してその内容を確認することができる。
【発明の効果】
【００２１】
本発明によれば、第２表示装置における照度に応じて表示情報を第１表示装置で表示するか第２表示装置で表示するかを制御するので、表示される情報が外光を利用して視認可能な第２表示装置における表示と、表示される情報が外光を利用せずに視認可能な第１表示装置における表示と、を照度に応じて切り換えることで、各表示装置夫々の特性に応じた表示情報の表示を行うことができる。
【００２２】
また、照度不足により第２表示装置における表示情報の表示が不可能な場合でも第１表示装置を用いて当該表示情報を表示してその内容を確認することができる。
【００２３】
従って、各表示装置夫々の表示特性に応じた表示情報の表示を行うことで、情報表示システムとしての利便性を向上させることができる。
【図面の簡単な説明】
【００２４】
【図１】実施形態に係る情報処理システムの全体構成を示す図である。
【図２】実施形態に係る複合機等の細部構成を示すブロック図であり、（ａ）は実施形態に係る複合機の細部構成を示すブロック図であり、（ｂ）は実施形態に係る表示装置の細部構成を示すブロック図である。
【図３】実施形態に係る情報処理システムにおける動作を示すフローチャートである。
【図４】変形形態に係る情報処理システムにおける動作を示すフローチャートである。
【発明を実施するための形態】
【００２５】
次に、本発明を実施するための形態について、図面に基づいて説明する。なお以下に説明する実施形態等は、例えばファクシミリ送受信機としての機能、電話機としての機能、スキャナとしての機能及びプリンタとしての機能を併せ持つ情報処理装置の一例としての複合機と、当該複合機に接続された例えば電気泳動方式を用いて複合機から送信されて来た表示データを蓄積して表示する携帯型の第２表示装置の一例としての表示装置と、を備える情報処理システムに対して本発明を適用した場合の実施形態等である。
【００２６】
（Ｉ）実施形態
初めに、本発明に係る実施形態について、図１乃至図３を用いて説明する。
【００２７】
（Ａ）全体構成及び概要動作
先ず、実施形態に係る情報処理システム全体の構成及び概要動作について、図１を用いて説明する。なお図１は当該全体構成を示す図であり、当該全体構成に含まれる複合機の外観図及び表示装置の正面図が含まれている。また、図１では、説明の都合上、複合機の外観図と表示装置の正面図とが異なる縮尺で示されている。
【００２８】
図１に示すように、実施形態に係る情報処理システムＳは、上記複合機Ｆと、上記表示装置Ｄと、により構成されており、両者は、例えばＵＳＢ（Universal Serial Bus）規格やＬＡＮ（Local Area Network）規格に準拠したネットワークＮＴを介して相互に接続されている。なお、複合機Ｆと表示装置Ｄとの間のデータの授受は、後述するメモリカードを用いて行ってもよい。
【００２９】
この構成において、複合機Ｆにおいて取得された表示対象たる文書等の情報は、当該複合機Ｆ自体が備える後述の表示部において表示される他、後述する如く表示装置Ｄの周囲の照度（明るさ）に応じてネットワークＮＴを介して表示装置Ｄに出力され、当該表示装置Ｄ上において表示される。なお以下の説明において、当該文書等の情報を単に「コンテンツ」と称する。また、複合機Ｆにおける当該コンテンツの取得元としては、例えば、ファックス受信したもの、印刷対象として図示しないコンピュータ等から複合機Ｆに送信されたもの、或いは複合機Ｆが有するスキャナ機能により電子的に読み取ったもの等が挙げられる。
【００３０】
次に、実施形態に係る複合機Ｆの細部について、図２（ａ）を用いて説明する。
【００３１】
実施形態に係る複合機Ｆは、図２（ａ）に示すように、当該複合機Ｆ全体を統括制御し、且つ後述する実施形態に係る複合機Ｆとしての動作を具体的に行う取得手段の一例としての取得部１０ａを機能的に含む変換手段及び制御手段の一例としてのＣＰＵ（Central Processing Unit）１０と、例えばいわゆるバックライトを用いる液晶表示パネルや自発光型のＥＬ（Electro-Luminescence）表示パネル等の外光を用いない表示部材により構成され、複合機Ｆとしての動作に必要な情報及び上記コンテンツ等を表示する第１表示装置の一例としての表示部１１と、ＣＰＵ１０の制御処理に必要なデータを一時的に記憶するＲＡＭ（Random Access Memory）１２と、メモリカードドライブ等により構成されＣＰＵ１０からの指示に基づきメモリカードドライブに挿入されたメモリカードＭＣに対してデータの書き込み及び読み出しを行うメモリカードＩ／Ｆ（インターフェース）１３と、実施形態に係る複合機Ｆとしての動作を実行するための各種制御プログラムやユーザ設定等のデータ或いは種々のファームウエア等を記憶するＲＯＭ（Read Only Memory）１４と、複合機Ｆと表示装置ＤとをネットワークＮＴにより接続してデータを送受信するためのインターフェース処理を行う通信Ｉ／Ｆ１５と、図示しないボタンやセンサー等から構成され、ユーザからの指示を指示情報としてＣＰＵ１０に供給する操作手段の一例としての操作部１６と、図示しない対象物を光学的に読み取って当該対象物に相当する画像を出力する読取部（スキャナ）１８と、ＣＰＵ１０からの指示に基づき表示部１１による表示を制御する表示コントローラ１９と、上記コンテンツ等を印刷対象物として印刷出力する印刷部２０と、を備えている。そして、表示部１１、ＲＡＭ１２、メモリカードＩ／Ｆ１３、ＲＯＭ１４、通信Ｉ／Ｆ１５、操作部１６、読取部１８、表示コントローラ１９及び印刷部２０と、ＣＰＵ１０と、は、バス１７を介して相互に接続されている。
【００３２】
なお、複合機Ｆは、上述した機能の他に、表示装置Ｄ上において表示させるべきコンテンツとしての種々の形式を、当該表示用の形式に変換し、これをメモリカードＭＣ内に記録し、又は表示装置Ｄに送信する機能を備えている。
【００３３】
次に、実施形態に係る表示装置Ｄについて、図１に示された表示装置Ｄの正面図及び図２（ｂ）を用いて説明する。なお、図２（ｂ）は当該表示装置Ｄの細部構成を示すブロック図である。
【００３４】
図１及び図２（ｂ）に示すように、実施形態に係る表示装置Ｄは、表示装置Ｄ全体を統括制御し、且つ後述する実施形態に係る表示装置Ｄとしての動作を具体的に行う照度判断手段の一例としての照度判断部１０１ａを機能的に含む制御手段の一例としてのＣＰＵ１０１と、ファームウエア等を記憶するＲＯＭ１０２と、実施形態に係る表示装置Ｄとしての動作を実行するための各種制御プログラムやユーザ設定等のデータ或いは後述する表示部１０６において表示される文書等のコンテンツを不揮発性に記憶するフラッシュＲＯＭ１０３と、ＣＰＵ１０１の制御処理に必要なデータを一時的に記憶するＲＡＭ１０４と、後述するカーソルキー、決定キー及び電源スイッチから構成され、ユーザからの指示を指示情報としてＣＰＵ１０１に供給する操作キー１０５と、例えば電気泳動方式の表示パネル等の外光を用いて情報を表示する表示部材により構成され、複合機Ｆから送信されて来たコンテンツを表示する表示部１０６と、ＣＰＵ１０１からの指示に基づき表示部１０６による表示を制御する表示コントローラ１０７と、を備えている。
【００３５】
この構成において、操作キー１０５として具体的には、表示部１０６に表示されている文書を例えば垂直上方向又は垂直下方向に移動（スクロール）させる際に操作される上キー１０５ｅ及び下キー１０５ｃと、当該文書を前頁又は次頁に頁毎に移動させる際に操作される前キー１０５ｄ及び次キー１０５ｂと、各種操作の結果を決定させる際に操作される上記決定キー１０５ａと、上記電源スイッチ１０５ｆと、により構成されている。そして上記上キー１０５ｅ、下キー１０５ｃ、前キー１０５ｄ及び次キー１０５ｂにより上記カーソルキーが構成されている。
【００３６】
これらに加えて表示装置Ｄは、例えばリチウムイオン電池等から構成されるバッテリー１０８と、バッテリー１０８に対する充電を制御する充電コントローラ１０９と、メモリカードドライブ等により構成されＣＰＵ１０１からの指示に基づきメモリカードドライブに挿入された上記メモリカードＭＣに対してデータの書き込み及び読み出しを行うメモリカードＩ／Ｆ１１０と、表示装置Ｄと複合機ＦとをネットワークＮＴにより接続してデータを送受信するためのインターフェース処理を行う通信Ｉ／Ｆ１１１と、例えば表示部１０６表面等、表示装置Ｄの周囲における照度を検出する照度センサ１１２と、例えば表示装置Ｄ自体が使用者に把持されることに起因する当該表示装置Ｄにおける振動の有無を検出する振動センサ１１３と、を備えている。そして、ＲＯＭ１０２、フラッシュＲＯＭ１０３、ＲＡＭ１０４、操作キー１０５、表示コントローラ１０７、充電コントローラ１０９、メモリカードＩ／Ｆ１１０、通信Ｉ／Ｆ１１１、照度センサ１１２及び振動センサ１１３と、ＣＰＵ１０１と、は、バス１１４を介して相互に接続されている。
【００３７】
なお、上記振動センサ１１３は後述する変形形態に係る情報処理システムの動作においてのみ使用されるものであり、実施形態に係る情報処理システムＳの動作を実現するための表示装置Ｄとしては、当該振動センサ１１３は不要である。
【００３８】
（Ｂ）情報処理システムの動作
次に、実施形態に係る情報処理システムＳに含まれる表示装置Ｄ及び複合機Ｆ夫々における動作について、図３を用いて説明する。なお図３は実施形態に係る複合機Ｆ及び表示装置Ｄ夫々における動作を纏めて示すフローチャートである。
【００３９】
図３に示すように、実施形態に係る表示装置Ｄの電源スイッチ１０５ｆ及び複合機Ｆにおける図示しない電源スイッチが操作されると（ステップＳ１、Ｓ１０）、複合機Ｆの取得部１０ａは先ず、例えば通信Ｉ／Ｆ１５又は読取部１８を介して表示装置Ｄにおいて表示すべき表示データを取得したか否かを確認する（ステップＳ２）。そして、当該取得がされていない場合（ステップＳ２；ＮＯ）、取得部１０ａはそのまま待機し、一方、当該表示データを取得したことが確認されたとき（ステップＳ２；ＹＥＳ）、ＣＰＵ１０は次に、当該取得した表示データをＲＡＭ１２内に一時的に記憶させ、更に当該表示データを表示部１１又は表示装置Ｄの表示部１０６において表示すべき旨（参照すべき旨）の操作が操作部１６において実行されたか否かを確認する（ステップＳ３）。そして、当該操作が実行されていないときは（ステップＳ３；ＮＯ）上記ステップＳ２の動作に戻り、一方当該操作が実行されたとき（ステップＳ３；ＹＥＳ）ＣＰＵ１０は次に、表示装置ＤのＣＰＵ１０１との間で相互に通信Ｉ／Ｆ１５及び１１１を介して接続情報を授受することにより、当該表示装置Ｄが複合機Ｆに接続されていることを確認する（ステップＳ４、Ｓ１１）。なお、当該接続確認動作において接続確認が取れない場合には、例えば当該接続確認動作を複数回繰り返し、それでも接続確認が取れない場合は複合機Ｆ又は表示装置Ｄの少なくともいずれか一方において当該接続確認が取れない旨の警告告知を行うことが好ましい。
【００４０】
上記ステップＳ４及びＳ１１の動作において必要な接続確認ができた場合、複合機ＦのＣＰＵ１０は次に、表示装置ＤのＣＰＵ１０１との間で、表示装置Ｄの周囲の照度を確認する照度確認動作を行う（ステップＳ５、Ｓ１２）。
【００４１】
この照度確認動作として具体的に、先ず複合機ＦのＣＰＵ１０は表示装置ＤのＣＰＵ１０１に対して照度を検出する旨の指示を通信Ｉ／Ｆ１５及び１１１を介して送信する。これにより当該ＣＰＵ１０１は、照度センサ１１２からの出力値に基づいて表示装置Ｄの周辺（より具体的には、表示部１０６上）の照度を検出する。そしてＣＰＵ１０１内の照度判断部１０１ａは、当該検出した照度が予め設定されている照度閾値以上であることが予め設定された時間閾値以上継続されているか否かを夫々判断し、その判断結果を、通信Ｉ／Ｆ１１１及び１５を介してＣＰＵ１０に出力する（ステップＳ１２）。
【００４２】
ここで、当該照度閾値及び時間閾値は予め実験的又は経験的に定められて例えばＲＯＭ１０２内に記憶されているものである。
【００４３】
具体的に先ず照度閾値は、外光を用いずに表示を行う表示装置Ｄの表示部１０６において当該表示が視認可能となる最低の周辺照度として予め求められた照度閾値である。この照度は、表示部１０６を構成する表示デバイスの表示原理や表示するコンテンツ自体の内容（文字が多いか画像が多いか等）等に基づいて変化するものである。
【００４４】
一方、時間閾値は、例えば表示装置Ｄの周辺が瞬間的にのみ照度閾値を超えた照度となり、その後元の暗い（表示部１０６上の表示の視認が不可能な）状態に戻った場合を排除する目的で予め設定されている時間閾値である。この時間閾値は、表示装置Ｄが実際に置かれている周囲環境により変化するものであるが、例えば１秒とされている。
【００４５】
なお、上記照度閾値及び時間閾値については、複合機Ｆ又は表示装置Ｄの少なくともいずれか一方において使用者により変更可能とされているのが好ましい。また、上述の照度判断部１０１ａとしての動作を、照度センサ１１２からの出力値をネットワークＮＴを介して取得した複合機ＦのＣＰＵ１０が当該出力値に基づいて行う構成とすることもできる。
【００４６】
以上のステップＳ１２の動作により表示装置Ｄからの判断結果を取得した複合機ＦのＣＰＵ１０は、当該取得した判断結果の内容を確認する（ステップＳ６）。そして当該判断結果が、表示装置Ｄの周辺の照度が上記照度閾値未満であるか、又は当該照度閾値以上ではあるがその照度である時間が上記時間閾値未満であることを示す判断結果であった場合（ステップＳ６；ＮＯ）、表示コントローラ１９は、上記取得した（ステップＳ２参照）表示データを複合機Ｆの表示部１１において表示し（ステップＳ７）、その後複合機Ｆとしての実施形態に係る動作を終了する。なお上記ステップＳ７の動作において表示コントローラ１９は、表示させるべきコンテンツとしての種々の形式を、表示部１１の表示原理等に基づいて最適な形式に変換して当該表示を行う。
【００４７】
一方、ステップＳ６の確認において、表示装置Ｄから取得した判断結果が、表示装置Ｄの周辺の照度が上記照度閾値以上であり且つ上記時間閾値以上であることを示す判断結果であった場合（ステップＳ６；ＹＥＳ）、ＣＰＵ１０は、上記取得した（ステップＳ２参照）表示データを、通信Ｉ／Ｆ１５を介して表示装置Ｄに送信し（ステップＳ８）、その後複合機Ｆとしての実施形態に係る動作を終了する。
【００４８】
一方、表示装置ＤのＣＰＵ１０１は、上記ステップＳ１２に係る照度判断動作の後は、複合機Ｆから上記表示データが送信されて来たか否かを監視する（ステップＳ１３）。そして、当該表示データが送信されて来ていない場合は（ステップＳ１３；ＮＯ）そのまま待機する。一方当該表示データが送信されて来た場合（ステップＳ１３；ＹＥＳ）、ＣＰＵ１０１は、当該表示データを通信Ｉ／Ｆ１１１を介して受信する（ステップＳ１４）。これにより表示コントローラ１０７は、当該受信した表示データを表示部１０６において表示する（ステップＳ１５）。その後ＣＰＵ１０１は、表示装置Ｄとしての実施形態に係る動作を終了する。
【００４９】
以上説明したように、実施形態に係る情報処理システムＳの動作によれば、表示装置Ｄにおける照度に応じて表示データを複合機Ｆで表示するか表示装置Ｄで表示するか否かを制御するので、表示される情報が外光を利用して視認可能な表示装置Ｄにおける表示と当該情報が外光を利用せずに視認可能な複合機Ｆにおける表示とを照度に応じて切り換えることで、表示装置Ｄ及び複合機Ｆ夫々の表示特性に応じた表示データの表示を行うことができる。
【００５０】
また、照度不足により表示装置Ｄにおける表示データの表示が不可能な場合でも複合機Ｆを用いて当該表示データを表示してその内容を確認することができる。
【００５１】
従って、表示装置Ｄ及び複合機Ｆ夫々の表示特性に応じた表示データの表示を行うことで、情報処理システムＳとしての利便性を向上させることができる。
【００５２】
更に、表示データを表示装置Ｄに出力するとき当該表示データを当該表示装置Ｄに対応して変換した後に当該表示装置Ｄに出力し、表示データを複合機Ｆに出力するとき当該表示データを当該複合機Ｆに対応して変換した後に表示するので、表示装置Ｄ及び複合機Ｆに適合した表示データを夫々出力することで、表示装置Ｄ又は複合機Ｆいずれにおいても良好な表示を行うことができる。
【００５３】
更にまた、表示データの表示を行う旨の指示が操作部１６において入力されたときのみ当該表示データの出力動作を行うので、表示データの表示自体が不要な場合にまで出力動作が実行されることを防止できる。
【００５４】
また、表示装置Ｄにおける照度が照度閾値以上であり且つその時間が時間閾値以上であるときのみ表示データを表示装置Ｄにおいて表示するので、当該照度が一時的に照度閾値を越えた後に再び当該照度閾値未満となった場合にまで、表示データが表示装置Ｄにおいて表示されることを防止できる。
【００５５】
（II）変形形態
次に、本発明に係る変形形態について、図４を用い説明する。
【００５６】
なお図４は変形形態に係る複合機Ｆ及び表示装置Ｄ夫々における動作を纏めて示すフローチャートであり、実施形態に係る複合機Ｆ及び表示装置Ｄ夫々における動作（図３参照）と同一の動作については、同一のステップ番号を付して細部の説明は省略する。
【００５７】
また、変形形態に係る複合機Ｆ及び表示装置Ｄの構成は実施形態に係る複合機Ｆ及び表示装置Ｄの構成と同一であるので、以下の説明では、実施形態にて用いた部材番号をそのまま用いて説明すると共に、当該構成として重複する説明は省略する。
【００５８】
図４に示すように、変形形態に係る複合機Ｆ及び表示装置Ｄにおいては、先ず、図３に示したステップＳ１乃至Ｓ４の動作並びにステップＳ１０及びＳ１１の動作が実行される。
【００５９】
その後、ステップＳ４及びＳ１１の接続確認動作において必要な接続確認ができた場合（ステップＳ４）、ＣＰＵ１０は次に、表示装置ＤのＣＰＵ１０１との間で、表示装置Ｄの周囲の照度を確認すると共に当該表示装置Ｄの振動センサ１１３において振動が検出されたか否かを確認する照度／振動確認動作を行う（ステップＳ５０、Ｓ１２０）。
【００６０】
この照度／振動確認動作として具体的には、実施形態に係るステップＳ５及びＳ１２と同様の照度確認／判断動作（実施形態に係る照度閾値及び時間閾値と同様の照度閾値及び時間閾値を用いた照度確認／判断動作）に加えて、複合機ＦのＣＰＵ１０は表示装置ＤのＣＰＵ１０１に対して表示装置Ｄにおける振動の有無を検出する旨の指示を通信Ｉ／Ｆ１５及び１１１を介して送信する。これにより当該ＣＰＵ１０１は、振動センサ１１３からの出力値に基づいて表示装置Ｄ自体における振動の有無を判断し、その判断結果を、通信Ｉ／Ｆ１１１及び１５を介してＣＰＵ１０に出力する。なおこの振動の有無の判断動作は、表示装置Ｄがその使用者により把持されていることを判断するために行うものである。
【００６１】
これらにより表示装置Ｄからの判断結果を取得した複合機ＦのＣＰＵ１０は、当該取得した判断結果の内容を確認する（ステップＳ５１）。そして当該判断結果が、表示装置Ｄの周辺の照度が上記照度閾値未満であるか、又は当該照度閾値以上ではあるがその照度である時間が上記時間閾値未満であった場合（ステップＳ５１；ＮＯ）、表示コントローラ１９は、上記取得した（ステップＳ２参照）表示データを複合機Ｆの表示部１１において表示し（ステップＳ７）、その後複合機Ｆとしての実施形態に係る動作を終了する。
【００６２】
一方、ステップＳ５１の確認において、表示装置Ｄから取得した判断結果が、表示装置Ｄの周辺の照度が上記照度閾値以上であり且つ上記時間閾値以上であることを示す判断結果であった場合（ステップＳ５１；ＹＥＳ）、ＣＰＵ１０は次に、表示装置Ｄ自体の振動があった旨が判断されたか否かを、表示装置Ｄから取得した上記判断結果に基づいて確認する（ステップＳ５２）。
【００６３】
これにより、当該判断結果が振動があった旨の判断結果であった場合（ステップＳ５２；ＹＥＳ）、表示装置Ｄがその使用者により把持されている（すなわち、表示装置Ｄが視認されている）として、ＣＰＵ１０は、上記取得した（ステップＳ２参照）表示データを、通信Ｉ／Ｆ１５を介して表示装置Ｄに送信し（ステップＳ８）、その後複合機Ｆとしての実施形態に係る動作を終了する。なお上記ステップＳ５２の確認動作において、表示装置Ｄから取得した判断結果が振動が無かった旨の判断結果であった場合（ステップＳ５２；ＮＯ）、ＣＰＵ１０は上記ステップＳ７の動作に移行する。
【００６４】
これらにより表示装置ＤのＣＰＵ１０１及び表示コントローラ１０７は、複合機Ｄから送信されて来た表示データの有無を確認し（ステップＳ１３）、当該表示データが送信されて来ている場合は（ステップＳ１３；ＹＥＳ）、これを通信Ｉ／Ｆ１１１を介して受信し（ステップＳ１４）、更に当該受信した表示データを表示部１０６において表示する（ステップＳ１５）。その後ＣＰＵ１０１は、表示装置Ｄとしての実施形態に係る動作を終了する。
【００６５】
以上説明したように、変形形態に係る情報処理システムＳの動作によれば、実施形態に係る情報処理システムＳの動作による作用効果に加えて、表示装置Ｄにおける照度が照度閾値以上である時間が時間閾値以上であり且つ表示装置Ｄが振動しているとき表示データを表示装置Ｄにおいて表示するので、表示装置Ｄにおける振動の発生を使用者における当該表示装置Ｄの把持であると見なすことで、使用者が当該表示装置Ｄを把持しているタイミングで表示データを当該表示装置Ｄにおいて表示することができる。
【００６６】
なお、上述した実施形態及び変形形態においては、複合機Ｆと表示装置Ｄとを含む情報処理システムＳに対して本発明を適用した場合について説明したが、これ以外に本発明は、表示対象たる情報を取得する情報処理装置と、当該取得された情報を表示する情報表示装置と、を含む情報処理システムに対して広く適用することも可能である。
【００６７】
また、上述した実施形態及び変形形態においては、使用者により表示データを参照する旨の操作が実行された場合のみ、当該参照のための動作を実行する構成としたが（図３及び図４ステップＳ３参照）、これ以外に当該操作の有無を確認することなく（すなわち、ステップＳ３に係る確認動作を実行することなく）、取得した表示データについて一律に実施形態又は変形形態に係る表示制御動作を実行するように構成することもできる。
【００６８】
更に、上記図３及び図４を用いて夫々説明したフローチャートに対応するプログラムをフレキシブルディスク等の記録媒体に記録しておき、又はインターネット等のネットワークを介して取得して記録しておき、これらをマイクロコンピュータ等のコンピュータで読み出して実行することにより、当該マイクロコンピュータ等を実施形態及び変形形態に係るＣＰＵ１０又はＣＰＵ１０１として機能させることも可能である。
【産業上の利用可能性】
【００６９】
以上夫々説明したように、本発明は情報処理システムの分野に利用することが可能であり、特に表示原理が異なる二種類の表示部を含む情報処理システムにおける表示制御の分野に適用すれば特に顕著な効果が得られる。
【符号の説明】
【００７０】
１０、１０１    ＣＰＵ
１０ａ    取得部
１０ｂ    照度判断部
１１、１０６    表示部
１２、１０４    ＲＡＭ
１３、１１０    メモリカードＩ／Ｆ
１４、１０２    ＲＯＭ
１５、１１１    通信Ｉ／Ｆ
１６    操作部
１７、１１４    バス
１８    読取部
１９、１０７    表示コントローラ
２０    印刷部
１０３    フラッシュＲＯＭ
１０５    操作キー
１０５ａ    決定キー
１０５ｂ    次キー
１０５ｃ    下キー
１０５ｄ    前キー
１０５ｅ    上キー
１０５ｆ    電源スイッチ
１０８    バッテリー
１０９    充電コントローラ
１１２    照度センサ
１１３    振動センサ
Ｓ    情報処理システム
Ｆ    複合機
Ｄ    表示装置
ＮＴ    ネットワーク
ＭＣ    メモリカード
【図１】
2010237626.tif 000003
【図２】
2010237626.tif 000004
【図３】
2010237626.tif 000005
【図４】
2010237626.tif 000006